(57)【要約】【課題】優れた熱拡散性能、長期の耐用期間、高光輝の照度を達成することができる防水照明装置を供給する。【解決手段】収容空間１０が形成され前端開口部１１及び後端閉口部１２を有する熱導電材料の管状ハウジング１と、放熱プレート２、放熱プレート２と熱接触する回路基板３、発光ダイオード５１と集光部材５２とを各々が有する複数の点灯ユニット５、およびハウジング１内に固定され回路基板３と外部電源に電気的に接続されるよう適合した駆動ユニット６を有する点灯装置と、ハウジング１内で点灯ユニット５の前方に配置された透明プレート８と、前端開口部１１に設置され収容空間１０に拡がる環状のキャップ７と、ハウジング１と透明プレート８とキャップ７との間を液体密封するシールワッシャ９と、を備えた防水照明装置を提供する。【選択図】図１
0003121905.tif 000002
【実用新案登録請求の範囲】
【請求項１】
収容空間（１０）が形成されたハウジングであって、前端開口部（１１）、及び当該ハウジング（１）の軸方向（Ａ）で前記前端開口部（１１）と反対側に位置する後端閉口部（１２）を有する、熱導電材料で形成された管状のハウジング（１）と、
前記ハウジング（１）の収容空間（１０）内に配置された点灯装置であって、
前記ハウジング（１）内で、前記ハウジング（１）の前端開口部（１１）に隣接して配置され、前記ハウジング（１）の前端開口部（１１）に面する設置面（２０）を有する放熱プレート（２）、
該放熱プレート（２）の設置面（２０）と熱接触する回路基板（３）、
該回路基板（３）に設置された発光ダイオード（５１）と、前記回路基板（３）上に設置され、前記発光ダイオード（５１）のまわりに配置された集光部材（５２）とを各々が有する複数の点灯ユニット（５）、および
前記ハウジング（１）内に固定して配置され、前記回路基板（３）に電気的に接続され、前記点灯ユニット（５）の発光ダイオード（５１）の起動のための外部電源に電気的に接続するのに適した駆動ユニット（６）
を有する前記点灯装置と、
前記ハウジング（１）内で、前記点灯ユニット（５）の前方に配置された透明プレート（８）と、
前記ハウジング（１）の前端開口部（１１）に設置され、前記収容空間（１０）に拡がる環状のキャップ（７）と、
前記ハウジング（１）、前記透明プレート（８）及び前記キャップ（７）の間に配置され、前記ハウジング（１）、前記透明プレート（８）及び前記キャップ（７）の間で液体密封を確立するよう接しているシールワッシャ（９）と、
を備えた防水照明装置。
【請求項２】
前記ハウジング（１）内で、前記点灯ユニット（５）と前記透明プレート（８）との間に配置されたセル状格子プレート（５３）をさらに備えた請求項１に記載の防水照明装置。
【請求項３】
前記ハウジング（１）は、グリップ（１８）が形成された環状の外側面（１１１）を有する請求項１に記載の防水照明装置。
【考案の詳細な説明】
【技術分野】
【０００１】
本考案は、照明装置に関し、より詳細には、防水照明装置に関するものである。
【背景技術】
【０００２】
機械加工装置のための従来の防水照明装置は蛍光灯を備えている。しかしながら、蛍光灯はその高い発熱および電力消費のため耐用期間が短く、また蛍光灯からの光は効率よく集光されない。
【考案の開示】
【考案が解決しようとする課題】
【０００３】
したがって、本考案の目的は、優れた熱拡散性能およびより長期の耐用期間を有し、高光輝の照度を達成することができる防水照明装置を供給することである。
【課題を解決するための手段】
【０００４】
上記課題を解決するための手段として、本考案の耐水照明装置は、収容空間が形成されたハウジングであって、前端開口部、及び当該ハウジングの軸方向で前記前端開口部と反対側に位置する後端閉口部を有する、熱導電材料で形成された管状のハウジングと、前記ハウジングの収容空間内に配置された点灯装置であって、前記ハウジング内で、前記ハウジングの前端開口部に隣接して配置され、前記ハウジングの前端開口部に面する設置面を有する放熱プレート、該放熱プレートの設置面と熱接触する回路基板、該回路基板に設置された発光ダイオードと、前記回路基板上に設置され、前記発光ダイオードのまわりに配置された集光部材とを各々が有する複数の点灯ユニット、および前記ハウジング内に固定して配置され、前記回路基板に電気的に接続され、前記点灯ユニットの発光ダイオードの起動のための外部電源に電気的に接続するのに適した駆動ユニットを有する前記点灯装置と、前記ハウジング内で、前記点灯ユニットの前方に配置された透明プレートと、前記ハウジングの前端開口部に設置され、前記収容空間に拡がる環状のキャップと、前記ハウジング、前記透明プレート及び前記キャップの間に配置され、前記ハウジング、前記透明プレート及び前記キャップの間で液体密封を確立するよう接しているシールワッシャと、を備えている。
【０００５】
前記ハウジング内で、前記点灯ユニットと前記透明プレートとの間に配置されたセル状格子プレートをさらに備えることが好ましい。
【０００６】
前記ハウジングは、グリップが形成された環状の外側面を有していてもよい。
【考案の効果】
【０００７】
本考案によれば、放熱プレート２および熱伝導性のハウジング１の存在により、発光ダイオード５１によって発生した熱を拡散させることができる。
【０００８】
また、約１００，０００時間の耐用期間を有する高性能発光ダイオード２５の使用により、前述の従来の照明装置と比較して、本考案の照明装置はより長期の耐用期間を有する。
【０００９】
さらに、集光レンズ５２２および格子プレート５３の存在により、照明装置は高輝度の照度を達成することができる。
【考案を実施するための最良の形態】
【００１０】
以下、本考案に係る実施形態を添付図面に従って説明する。
【００１１】
図１〜３に示すように、本考案に係る照明装置の好ましい実施形態は、管状のハウジング１、点灯装置、透明プレート８、環状の蓋７およびシールワッシャ９を備えている。
【００１２】
ハウジング１は、熱導電材料で形成されており、収容空間１０が形成され、前端開口部１１と、ハウジング１の軸方向（Ａ）で前端開口部１１と反対の位置にある閉後端閉口部１２とを有している。本実施形態では、ハウジング１は、管状本体１４、および、管状本体１４の後端閉口部に結合された後部壁を備えている。管状本体１４は、前端部分１４１、該前端部分１４１より小さな内径を有する後端部分１４２、および前端部分１４１と後端部分１４２とを相互に連結させる中間肩部１４３を有している。管状本体１４の前端部分１４１は、軸方向（Ａ）で互いに間隔をあけて整列した３つの環状の係合溝１６が形成された環状の内側面１１３を有している。Ｃ形の３つの位置決めリング４０、４１、４２は、環状の係合溝１６とそれぞれ係合している。管状本体１４の後端部分１４２は、軸方向（Ａ）に延びる複数の放熱リブ１７が形成された内側面を有する。また、ハウジング１の管状本体１４は、グリップ１８と、軸方向（Ａ）に延びる複数の放熱リブ１７’とが形成された外側面１１１を有する。調整可能な支持フレーム１９はハウジング１を支持するのに適している。
【００１３】
点灯装置は、ハウジング１の収容空間１０内に配置され、放熱プレート２、回路基板３、複数の点灯ユニット５および駆動ユニット６を備えている。
【００１４】
放熱プレート２は、アルミニウムで形成され、ハウジング１の前端開口部１１に隣接して配置されている。本実施形態では、放熱プレート２は、管状本体１４の中間肩部１４３と位置決めリング４０と間に配置され、中間肩部１４３と位置決めリング４０とに対して接している。放熱プレート２は、ハウジング１の前端開口部１１に面し、放熱目的のための複数の貫通孔２１が形成されている設置面２０を有する。
【００１５】
回路基板３は、熱接触するよう熱伝導性の接着剤によって放熱プレート２の設置面２０に設置されている。回路基板３は、プリント配線回路をその上に設けられる。
【００１６】
各点灯ユニット５は、回路基板３に設置されて、高性能の発光ダイオードなどの発光ダイオード５１、および回路基板３上に設置し発光ダイオード５１のまわりに配置された集光部材５２を有する。本実施形態では、各点灯ユニット５については、集光部材５２は、発光ダイオード５１のまわりに配置されて熱伝導性の接着剤３０によって回路基板３に固定して取り付けられた中空のレンズ取付基底部５２１を有している。また、集光部材５２は、レンズ取付基底部５２１上に設置されており、発生した光の集光のためにレンズ取付基底部５２１と協働して発光ダイオード５１をカバーする集光レンズ５２２を有する。
【００１７】
駆動ユニット６は、ハウジング１内に固定して配置され、放熱プレート２の貫通孔２１のうちの１つを通り抜けるリード線によって回路基板３に電気的に結合されている。また、駆動ユニット６は、公知の方法で点灯ユニット５の発光ダイオード５１を起動するために電源コード３５によって外部電源（図示省略）に電気的に接続されるように適合されている。
【００１８】
スイッチ３４は、ハウジング１の後部壁に設置され、電力の供給を制御するために駆動ユニット６に電気的に接続されている。
【００１９】
透明プレート８は、ハウジング１内で、点灯ユニット５の前方に配置されている。
本実施形態では、図２に示すように、透明プレート８は位置決めリング４２に対して接している。
【００２０】
環状のキャップ７は、複数のネジ７３によってハウジング１の前端開口部１１に設置され、収容空間１０内に拡がっている。
【００２１】
セル（小区画）状格子プレート５３は、ハウジング１内で、点灯ユニット５と透明プレート８との間に配置されている。本実施形態では、図２に示すように、格子プレート５３は、位置決めリング４１、４２の間に配置している。なお、本実施形態では、セル状格子プレート５３はハニカム状格子プレートとしている。
【００２２】
シールワッシャ９は、ハウジング１、透明プレート８およびキャップ７の間に配置され、液体密封をその間で確立するようにハウジング１、透明プレート８およびキャップ７に対して接している。
【００２３】
以上、本考案の実施形態について説明したが、本考案はこれらに限定されるものではなく、本考案の趣旨を逸脱しない限りにおいて種々の変更が可能である。
【図面の簡単な説明】
【００２４】
【図１】本考案に係る照明装置の好ましい実施形態を示す分解斜視図である。
【図２】好ましい実施形態の部分断面概略図である
【図３】好ましい実施形態の概略正面図である。
【符号の説明】
【００２５】
１  ハウジング
１０  収容空間
１１  前端開口部
１２  後端閉口部
２  放熱プレート
２０  設置面
３  回路基板
５  点灯ユニット
５１  発光ダイオード
５２  集光部材
６  駆動ユニット
７  キャップ
８  透明プレート
９  シールワッシャ
Ａ  軸方向
【図１】
0003121905.tif 000003
【図２】
0003121905.tif 000004
【図３】
0003121905.tif 000005